(57)【特許請求の範囲】
【請求項１】
エレベータの利用者により前記エレベータの行先階を登録可能な複数の行先階タッチ部を有する行先階登録部と、前記利用者により第１配置と第２配置との切り替え操作が可能な配置切替部と、が表示されるタッチパネル式の表示面を有し、
前記表示面は、前記第１配置において、前記表示面内の下方の表示領域である第１配置切替領域に前記配置切替部を表示し、前記第１配置切替領域よりも上方の領域である第１行先階登録領域に前記行先階登録部を表示し、
前記表示面は、前記第２配置において、前記表示面内の下方の表示領域である第２行先階登録領域に前記行先階登録部を表示し、前記第２行先階登録領域よりも上方の領域である第２配置切替領域に前記配置切替部を表示し、
前記第２行先階登録領域は、前記第１行先階登録領域よりも小さい、エレベータの操作盤。
【請求項２】
前記第２配置において、前記表示面は、前記第２行先階登録領域に表示されない行先階タッチ部を前記第２行先階登録領域に表示させるための行先階タッチ切替部を表示する、請求項１に記載のエレベータの操作盤。
【請求項３】
前記エレベータの乗り場に設置される乗り場操作盤は、前記乗り場に呼ぶために利用者が操作する第１呼び部と、前記乗り場に呼ぶために利用者が操作するものであって、前記第１呼び部とは異なる箇所に配置される第２呼び部と、を有しており、
前記表示面は、前記第２呼び部からエレベータの呼び操作が実行された場合、前記エレベータの前記乗り場への着床時に、表示を前記第１配置から前記第２配置に切り替える、請求項１又は請求項２に記載のエレベータの操作盤。
【請求項４】
前記表示面は、第２配置における前記行先階タッチ部の各領域の大きさを、第１配置における前記行先階タッチ部の各領域の大きさから変更する、請求項１から請求項３のいずれか１項に記載のエレベータの操作盤。
【請求項５】
請求項１から請求項４のいずれか１項に記載のエレベータの操作盤と、
前記エレベータを制御する制御装置と、を有し、
前記制御装置は、前記第２配置における前記行先階登録部でエレベータの行先階が登録された場合、前記エレベータの駆動モードを、第１運転モードから、少なくとも前記エレベータの扉の開閉速度が前記第１運転モードとは異なる第２運転モードに切り替える、エレベータ。
【発明の詳細な説明】
【技術分野】
【０００１】
本発明の実施形態は、エレベータの操作盤及びエレベータに関する。
【背景技術】
【０００２】
エレベータのかご内に設置される操作盤は、一般的に、機械式の押ボタンを有しており、利用者が押ボタンを押すことでエレベータの動作を操作するものである。一方、例えば特許文献１に示すように、押ボタンの代わりにタッチパネルを有する操作盤も提案されている。
【先行技術文献】
【特許文献】
【０００３】
【特許文献１】国際公開ＷＯ０１／０９６２２４号公報
【発明の概要】
【発明が解決しようとする課題】
【０００４】
機械式の押ボタンを有する操作盤は、階床に応じた複数の行先階登録ボタンと、扉開閉ボタンが必要になるため、部品点数が多くなったり、操作盤が大きくなったりする。また、利用者の身長等に応じてボタンの位置が動かせないため、利用者に対応して操作性を向上させることができない。一方、特許文献１の操作盤は、利用者がエレベータを操作するためにタッチする操作表示部の位置を移動させることが可能となっている。しかし、特許文献１の操作盤は、スクロールなどで操作表示部を移動させるため操作表示部の適切な位置への移動に手間を要するなど、操作性について向上の余地がある。
【０００５】
本発明は、上記に鑑みてなされたものであって、利用者にとって容易に操作可能なエレベータの操作盤、及びエレベータを提供することを目的とする。
【課題を解決するための手段】
【０００６】
実施形態のエレベータの操作盤は、エレベータの利用者によりエレベータの行先階を登録可能な複数の行先階タッチ部を有する行先階登録部と、利用者により第１配置と第２配置との切り替え操作が可能な配置切替部と、が表示されるタッチパネル式の表示面を有する。表示面は、第１配置において、表示面内の下方の表示領域である第１配置切替領域に、配置切替部を表示する。表示面は、第１配置において、第１配置切替領域よりも上方の領域である第１行先階登録領域に、行先階登録部を表示する。表示面は、第２配置において、表示面内の下方の表示領域である第２行先階登録領域に、行先階登録部を表示する。表示面は、第２配置において、第２行先階登録領域よりも上方の領域である第２配置切替領域に配置切替部を表示する。第２行先階登録領域は、第１行先階登録領域よりも小さい。
【図面の簡単な説明】
【０００７】
【図１】図１は、第１実施形態に係るエレベータの概略図である。
【図２】図２は、第１実施形態に係る操作盤の表示を示す図である。
【図３】図３は、第１実施形態に係る操作盤の表示を示す図である。
【図４】図４は、第１実施形態に係るエレベータの構成を示すブロック図である。
【図５】図５は、第１実施形態に係る表示部の表示切替を説明するためのフローチャートである。
【図６】図６は、第１実施形態において利用者が第１配置において操作盤に入力操作を行う場合の説明図である。
【図７】図７は、第１実施形態において利用者が第２配置において操作盤に入力操作を行う場合の説明図である。
【図８】図８は、第１実施形態の他の例において第２呼び部での操作が行われた場合の表示切替処理を説明するフローチャートである。
【図９】図９は、第１実施形態の他の例において第２配置での操作が行われた場合の運転モードの切り替え処理を説明するフローチャートである。
【図１０】図１０は、第２実施形態に係る操作盤の表示を示す図である。
【図１１】図１１は、第２実施形態に係る操作盤の表示を示す図である。
【図１２】図１２は、第３実施形態に係る操作盤の表示を示す図である。
【図１３】図１３は、第３実施形態に係る操作盤の表示を示す図である。
【図１４】図１４は、第４実施形態のエレベータの構成を示すブロック図である。
【図１５】図１５は、第４実施形態のエレベータの構成を模式的に示す模式図である。
【図１６】図１６は、第４実施形態のエレベータの構成を模式的に示す模式図である。
【図１７】図１７は、第４実施形態における表示切替処理を説明するフローチャートである。
【発明を実施するための形態】
【０００８】
以下に、本発明につき図面を参照しつつ詳細に説明する。なお、下記の実施形態は例示であり、発明の範囲がそれらに限定されるものではない。また、下記の実施形態における構成要素には、当業者が容易に想定できるものあるいは実質的に同一のものが含まれる。
【０００９】
〔第１実施形態〕
図１は、第１実施形態に係るエレベータの概略図である。図１に示すように、エレベータ１は、昇降路（図示省略）内を昇降する乗りかご２を有しており、乗りかご２が昇降路内を昇降することにより、エレベータ１が設置される建物の各階の乗り場５に移動することが可能になっている。このうち、乗りかご２には、エレベータの利用者１００が乗りかご２内に出入りする際に開閉する扉４が設けられており、乗り場５には、扉４の開閉に伴って開閉する乗り場扉６が設置されている。これにより、利用者１００は、乗りかご２内と乗り場５との間を移動することができ、乗りかご２に乗った状態で乗りかご２を昇降させることにより、異なる階の乗り場５に移動することができる。
【００１０】
また、エレベータ１は、登録した動作の内容に基づいて稼動するために、利用者１００が動作させたい内容を登録するエレベータ登録装置１０を備えている。エレベータ登録装置１０は、制御装置１２と、操作盤２０と、乗り場操作盤６０と、を有する。制御装置１２は、エレベータ１の動作を制御する装置である。制御装置１２は、例えば乗りかご２の昇降、又は扉４の開閉等の動作を制御する。操作盤２０は、エレベータの利用者１００の利用時における意思の登録操作が可能な操作盤である。操作盤２０は、乗りかご２内に設置されている。制御装置１２、及び操作盤２０の構成については後述する。
【００１１】
乗り場操作盤６０は、乗り場５に設置される。乗り場操作盤６０は、第１呼び部６１と第２呼び部６２とを有する。第１呼び部６１と第２呼び部６２とは、乗り場５に乗りかご２を呼ぶために利用者１００が操作するものであり、それぞれ、利用者１００が現在の乗り場５から乗りかご２に乗って移動する方向を選択して登録する移動方向選択部を有する。例えば利用者が移動方向選択部に入力操作を行うことにより、乗りかご２がその乗り場５に着床し、利用者１００が乗りかご２に乗ることができる。第２呼び部６２は、第１呼び部６１と異なる位置に配置されている。本実施形態では、第２呼び部６２は、第１呼び部６１よりも鉛直方向の下方に位置している。第２呼び部６２は、身長が低い利用者１００や、車いすを使用している利用者１００のために、第１呼び部６１より低い位置に配置されている。ただし、乗り場操作盤６０の構成はこれに限られず、例えば第１呼び部６１のみを有していてもよい。以下、例えば一般的な身長の大人よりも身長が小さかったり、車いすを利用したりしている利用者１００を、特別利用者１０２と記載する。また、特別利用者１０２以外の利用者１００（例えば一般的な身長の大人）を、通常利用者１０１と記載する。
【００１２】
図２及び図３は、第１実施形態に係る操作盤の表示を示す図である。操作盤２０は、タッチパネルであり、タッチパネル式の表示面２１を有する。操作盤２０は、乗りかご２内に配置されており、通常利用者１０１の手が表示面２１の入力操作を行うための領域に届く高さに配置されている。また、操作盤２０は、表示面２１の下方の領域が、特別利用者１０２の手に届く高さになるよう配置されている。ただし、操作盤２０は、少なくとも利用者１００が操作可能な位置に配置されていれば、位置及び大きさはこれに限られない。
【００１３】
図２及び図３に示すように、表示面２１は、利用者１００が登録操作をする場合に操作するための行先階登録部３６等を表示する。表示面２１は、行先階登録部３６等の配置が互いに異なる第１配置と第２配置との、２種類の表示を行うことができる。図２は、第１配置における表示面２１の表示を示している。図３は、第２配置における表示面２１の表示を示している。
【００１４】
第１配置は、通常利用者１０１の操作に適した配置である。図２に示すように、第１配置において、表示面２１は、第１配置切替領域２２と、第１扉開閉領域２４と、第１行先階登録領域２６と、第１階床表示領域２８との各領域に区分され、領域毎に所定の表示を行う。表示面２１は、第１配置において、全領域に上記いずれかの領域が割り当てられ、全領域において表示を行う。
【００１５】
第１配置切替領域２２は、表示面２１の鉛直方向の下方に位置する領域である。本実施形態では、第１配置切替領域２２は、表示面２１の下端に位置する領域であるが、表示面２１の下方に位置していれば下端でなくともよい。ここで、下方とは、鉛直方向における表示面２１の中心位置以下の位置のことをいうが、これに限られない。第１配置切替領域２２は、特別利用者１０２でも手が届く上限の高さである高さＬ１以下に位置していればよい。高さＬ１は、表示面２１の乗りかご２内での配置等を勘案して予め定めることができる。
【００１６】
第１配置切替領域２２は、配置切替部３２Ａが表示される。配置切替部３２Ａは、利用者１００に入力操作を行われることにより、表示面２１の表示を第１配置から第２配置に切り替える。なお、配置切替部３２Ａに対する利用者１００の入力操作は、タッチ操作であるが、タッチ操作に限られず、予め設定された所定の操作を検出した場合に、表示面２１の表示を第１配置から第２配置に切り替えるものであればよい。以降説明する利用者の入力操作についても、特に説明がない場合は同様であり、タッチ操作に限られず、予め設定された所定の操作を検出した場合に、所定の動作を行うものであればよい。
【００１７】
第１扉開閉領域２４は、表示面２１の鉛直方向の下方に位置する。本実施形態では、第１扉開閉領域２４は、第１配置切替領域２２の鉛直方向上方に隣接する領域である。第１扉開閉領域２４は、扉４を開閉するための扉開閉部３４を表示する。利用者１００は、扉開閉部３４に入力操作することにより、扉４を開閉する。なお、ここでいう下方とは、鉛直方向における表示面２１の中心位置以下の位置のことをいうが、これに限られない。第１扉開閉領域２４は、高さＬ１以下に位置していればよい。
【００１８】
第１行先階登録領域２６は、第１配置切替領域２２よりも鉛直方向の上方に位置する領域である。本実施形態では、第１行先階登録領域２６は、第１扉開閉領域２４の鉛直方向上方に隣接する領域であるが、これに限られない。第１行先階登録領域２６は、利用者１００により乗りかご２の行先階を登録するための行先階登録部３６Ａを表示する。行先階登録部３６Ａは、各階に対応した複数の行先階タッチ部３７を有する。利用者１００は、目的階に対応した行先階タッチ部３７をタッチ操作することで、行先階を登録し、乗りかご２をその行先階に着床させる。行先階タッチ部３７の各々の領域面積は、予め設定された所定の値となる。図２では、１階から１２階を移動可能なエレベータを例示しており、行先階登録部３６Ａは、１階から１２階にそれぞれ対応した１２個の行先階タッチ部３７を有している。行先階タッチ部３７は、２列で鉛直方向に沿って配列している。ただし、この行先階タッチ部３７の配置は一例である。
【００１９】
第１行先階登録領域２６の下端は、鉛直方向における表示面２１の中心位置以下の位置にあり、上端は、鉛直方向における表示面２１の中心位置以上の位置にあるが、これに限られない。第１行先階登録領域２６の上端は、通常利用者１０１の手が届く上限の高さである高さＬ２以下に位置していればよい。高さＬ２は、高さＬ１より高いものであり、表示面２１の乗りかご２内での配置等を勘案して予め定めることができる。また、第１行先階登録領域２６は、他の領域、つまり第１配置切替領域２２、第１扉開閉領域２４、及び第１階床表示領域２８よりも大きな領域となっている。第１行先階登録領域２６は、表示面２１の全域の半分以上を占めることが好ましい。ただし、第１行先階登録領域２６の上端及び下端位置と、領域面積とは、特にこれらに限定されない。
【００２０】
第１階床表示領域２８は、表示面２１の鉛直方向の上方に位置する領域である。本実施形態において、第１階床表示領域２８は、第１行先階登録領域２６の鉛直方向上方に隣接し、表示面２１の鉛直方向の上端に位置する領域である。第１階床表示領域２８は、現在の乗りかご２が位置している階床を示す階床表示部３８を表示する。図２では、階床表示部３８は、「５」を示しており、これは乗りかご２が５階に位置していることを示している。なお、図２の階床表示部３８の表示は一例である。第１階床表示領域２８は、第１配置切替領域２２及び第１扉開閉領域２４よりも大きな領域であるが、領域の大きさは任意である。
【００２１】
次に、第２配置について説明する。第２配置は、特別利用者１０２の操作に適した配置である。図３に示すように、第２配置において、表示面２１は、第２扉開閉領域４２と、第２行先階登録領域４４と、第２配置切替領域４６と、第２階床表示領域４８、４９との各領域に区分され、領域毎に所定の表示を行う。表示面２１は、第２配置において、全領域に上記いずれかの領域が割り当てられ、全領域において表示を行う。
【００２２】
第２扉開閉領域４２は、表示面２１の鉛直方向の下方に位置する領域である。第２扉開閉領域４２は、第１配置の第１扉開閉領域２４と同様に、扉開閉部３４を表示する。本実施形態では、第２扉開閉領域４２は、表示面２１の下端に位置する領域であるが、表示面２１の下方であれば、下端でなくてもよい。なお、ここでいう下方とは、鉛直方向における表示面２１の中心位置以下の位置のことをいうが、これに限られない。第２扉開閉領域４２は、高さＬ１以下に位置していればよい。
【００２３】
第２扉開閉領域４２は、第１配置切替領域２２及び第１扉開閉領域２４を合わせた領域と同じ面積の領域である。また、第２扉開閉領域４２が表示する扉開閉部３４の鉛直方向における位置は、第１扉開閉領域２４が表示する扉開閉部３４の鉛直方向における位置と同じとなっている。ただし、第２扉開閉領域４２の領域の大きさと、扉開閉部３４の位置とは、これに限られず任意である。
【００２４】
第２行先階登録領域４４は、表示面２１の下方に位置する領域である。本実施形態において、第２行先階登録領域４４は、第２扉開閉領域４２に鉛直方向の上方で隣接する領域であるが、表示面２１の下方であればこの位置でなくてもよい。なお、ここでいう下方とは、鉛直方向における表示面２１の中心位置以下の位置のことをいうが、これに限られない。第２行先階登録領域４４は、高さＬ１以下に位置していればよい。
【００２５】
第２行先階登録領域４４は、行先階登録部３６Ｂを表示する。行先階登録部３６Ｂは、複数の行先階タッチ部３７を有する。行先階登録部３６Ｂ中の行先階タッチ部３７の各々の領域面積は、第１配置と同じとなる。行先階登録部３６Ｂの行先階タッチ部３７は、３列で鉛直方向に沿って配列している。ただし、この行先階タッチ部３７の配置は一例である。
【００２６】
より詳しくは、第２行先階登録領域４４は、第１行先階登録領域２６よりも小さい領域である。第２行先階登録領域４４は、表示面２１の全域の半分以下を占めるものであるが、第１行先階登録領域２６よりも小さい領域であれば、特にこの範囲に限定されない。また、第２行先階登録領域４４は、第１行先階登録領域２６よりも鉛直方向下方に位置する。具体的には、本実施形態において、第２行先階登録領域４４の下端は、第１行先階登録領域２６の下端と同じ位置にある。そして、第２行先階登録領域４４の上端は、第１行先階登録領域２６の上端よりも鉛直方向下方に位置する。第２行先階登録領域４４の上端は、鉛直方向における表示面２１の中心以下の位置にあるが、これに限られない。第２行先階登録領域４４の上端は、第１行先階登録領域２６の上端よりも下方にあって、高さＬ１以下に位置していればよい。また、第２行先階登録領域４４の下端は、鉛直方向における第１行先階登録領域２６の下端以下の位置であることが好ましいが、第１行先階登録領域２６の下端よりも上方であってもよい。
【００２７】
第２配置切替領域４６は、第２行先階登録領域４４よりも鉛直方向の上方に位置する領域である。本実施形態において、第２配置切替領域４６は、第２行先階登録領域４４の鉛直方向上方に隣接する領域である。第２配置切替領域４６は、配置切替部３２Ｂを表示する。配置切替部３２Ｂは、利用者１００にタッチ操作を行われることにより、表示面２１の表示を第２配置から第１配置に切り替える。
【００２８】
第２階床表示領域４８は、表示面２１の鉛直方向の上方に位置する領域である。第２階床表示領域４８は、表示面２１中で第１階床表示領域２８と同じ位置に配置され、第１階床表示領域２８と同じ領域面積となっている。また、第２階床表示領域４８は、第１階床表示領域２８と同様に、階床表示部３８を表示する。
【００２９】
第２階床表示領域４９は、第２配置切替領域４６よりも鉛直方向の上方に位置する領域である。本実施形態において、第２階床表示領域４９は、第２配置切替領域４６の鉛直方向上方に隣接する。また、本実施形態において、第２階床表示領域４９は、第２階床表示領域４８の鉛直方向下方に隣接する。すなわち、第２階床表示領域４９は、第２階床表示領域４８と第２配置切替領域４６との間に位置している。
【００３０】
第２階床表示領域４９は、第２階床表示領域４８と同様に階床表示部３８を表示する。第２階床表示領域４９は、第２階床表示領域４８よりも下方で階床を表示するため、例えば特別利用者１０２にとっても階床の確認を容易にすることができる。なお、第２階床表示領域４９は、第２行先階登録領域４４と第１行先階登録領域２６との面積差によって第２配置において生じた、表示面２１の余剰面積を利用した領域である。そのため、第２階床表示領域４９は、時刻情報や、テレビ放送など、階床情報以外の情報を表示するものであってもよい。また、第２階床表示領域４９は、何も表示しなくてもよく、また、第１階床表示領域４８と同じ領域として、第１階床表示領域４８と共同して１つの階床表示部３８を表示してもよい。
【００３１】
以上、第１配置及び第２配置における表示面２１の表示について説明したが、表示面２１の表示は、同じ位置にある第１扉開閉領域２４と第２扉開閉領域４２と（又は扉開閉部３４）を基準に、次のように言い換えることができる。すなわち、表示面２１は、第１配置において、第１扉開閉領域２４（扉開閉部３４）よりも下方に第１配置切替領域２２を有し、第１扉開閉領域２４（扉開閉部３４）よりも上方に第１行先階登録領域２６を有する。そして、表示面２１は、第２配置において、第２扉開閉領域４２（扉開閉部３４）よりも上方に第２行先階登録領域４４を有し、第２行先階登録領域４４の上方に第２配置切替領域４６を有する。
【００３２】
また、表示面２１は、以上説明した表示以外の表示、例えば非常時に外部と連絡をとるための非常連絡部等を有していてもよい。この場合、非常連絡部は、第１配置及び第２配置の両方において特別利用者１０２が利用しやすいように、扉開閉部３４と同じ領域に表示されることが好ましい。なお、以下説明において、配置切替部３２Ａ、３２Ｂを区別しない場合は、配置切替部３２と記載する。同様に、行先階登録部３６Ａ、３６Ｂを区別しない場合は、行先階登録部３６と記載する。
【００３３】
図４は、第１実施形態に係るエレベータの構成を示すブロック図である。図４に示すように、制御装置１２は、操作盤２０及び乗り場操作盤６０と接続されている。制御装置１２は、運転制御部１４及び表示制御部１６を有する。操作盤２０は、配置切替部３２、扉開閉部３４、行先階登録部３６、階床表示部３８を有する。乗り場操作盤６０は、第１呼び部６１及び第２呼び部６２を有する。
【００３４】
運転制御部１４は、エレベータ１の動作を制御する。運転制御部１４は、例えば、乗りかご２の昇降及び停止、又は扉４の開閉動作等を制御する。運転制御部１４は、操作盤２０及び乗り場操作盤６０への利用者１００の入力操作を検出し、その入力操作に基づき、エレベータ１の動作を制御する。利用者１００がエレベータ１を利用した建物の他の階に移動する際には、乗り場５に設置される乗り場操作盤６０の移動方向選択部に対して入力操作を行うことにより、移動方向の登録操作を行う。移動方向の登録情報は、乗り場操作盤６０から制御装置１２の運転制御部１４に伝達される。運転制御部１４は、移動方向の登録操作が行われた乗り場５からの移動方向が、登録操作が行われた移動方向で乗りかご２を運転できる場合に、乗りかご２をその乗り場５に停止させる。
【００３５】
利用者１００は、乗りかご２が乗り場５に停止したら乗りかご２に入り、操作盤２０の行先階登録部３６に対して入力操作を行うことにより、目的階の登録操作を行う。目的階の登録情報も、操作盤２０から制御装置１２の運転制御部１４に伝達され、運転制御部１４は、乗りかご２を目的階に移動させる。
【００３６】
また、利用者１００が乗りかご２に乗り込んだ状態で、扉４の開閉操作を行いたい場合には、扉開閉部３４を操作することによって行う。乗りかご２が、いずれかの階の乗り場５に停止している状態で、扉開閉部３４に対して入力操作を行った場合には、操作された扉開閉部３４に応じて、扉４と乗り場扉６とが共に開閉する。
【００３７】
また、運転制御部１４は、エレベータ１を、第１運転モードと第２運転モードとの２種類の運転モードで動作させることができる。第１運転モードは、通常利用者１０１の利用に適した運転モードであり、第２運転モードは、特別利用者１０２の利用に適した運転モードである。第２運転モードは、少なくとも、扉４と乗り場扉６との開閉速度が第１運転モードと異なり、より具体的には、扉４と乗り場扉６との開閉速度が第１運転モードより遅い。また、第２運転モードは、乗りかご２の昇降速度が、第１運転モードより遅くなってもよい。また、扉４と乗り場扉６とは、開いた状態のまま所定時間経過すると、扉開閉部３４に入力操作がされなくても、運転制御部１４の制御により自動的に閉じる。この場合、第２運転モードは、扉４と乗り場扉６が閉じるまでの所定時間が、第１運転モードより長くなってもよい。すなわち、第２運転モードは、扉４と乗り場扉６との開いた状態が、第１運転モードよりも長時間継続してもよい。
【００３８】
運転制御部１４は、第１呼び部６１から呼び操作がなされた場合は、呼び操作がなされた乗り場５からのエレベータ１の動作を第１運転モードとする。そして、運転制御部１４は、第２呼び部６２から呼び操作がなされた場合は、呼び操作がなされた乗り場５からのエレベータ１の動作を第２運転モードとする。
【００３９】
表示制御部１６は、操作盤２０の表示面２１の表示を制御する。例えば、利用者１００が配置切替部３２に対して入力操作を行った場合、表示制御部１６は、第１配置から第２配置へ、又は第２配置から第１配置へ、表示面２１の表示を切り替える。図５は、第１実施形態に係る表示部の表示切替を説明するためのフローチャートである。図５に示すように、表示制御部１６は、配置切替操作があるか、すなわち、配置切替部３２に対して入力操作があったか、を検出する（ステップＳ１２）。表示制御部１６は、配置切替操作があった場合（ステップＳ１２；Ｙｅｓ）、表示面２１の表示切替を実行する（ステップＳ１４）。具体的には、表示制御部１６は、第１配置における配置切替部３２Ａに対して入力操作があった場合、表示面２１の表示を第１配置から第２配置へ切り替える。また、表示制御部１６は、第２配置における配置切替部３２Ｂに対して入力操作があった場合、表示面２１の表示を第２配置から第１配置へ切り替える。これにより本処理は終了する。また、配置切替操作がなかった場合（ステップＳ１２；Ｎｏ）、表示切替は行わない。
【００４０】
このように、本実施形態においては、配置切替部３２への入力操作があった場合にのみ表示を切り替えるが、これに限られず、例えば、通常は常に第１配置で表示を行ってもよい。この場合、表示制御部１６は、第１配置における配置切替部３２Ａに入力操作があった場合に第２配置へと切り替え、例えば、第２配置において登録された階に着床後、第２配置から第１配置へ戻す。
【００４１】
次に、利用者１００が第１配置及び第２配置で操作盤２０に入力操作を行う場合の例について説明する。図６は、第１実施形態において利用者が第１配置において操作盤に入力操作を行う場合の説明図である。図７は、第１実施形態において利用者が第２配置において操作盤に入力操作を行う場合の説明図である。
【００４２】
操作盤２０は、通常利用者１０１が表示面２１への入力操作が可能な位置に設置されている。従って、図６及び図７に示すように、通常利用者１０１は、第１配置及び第２配置のいずれにおいても、表示面２１の各部に容易に入力操作を行うことができる。
【００４３】
一方、特別利用者１０２は、通常利用者１０１より低い位置にしか手が届かない場合がある。そのため、図６に示すように、特別利用者１０２は、第１配置における第１行先階登録領域２６の全域に手が届かず、目的の行先階タッチ部３７に入力操作を行うことができないおそれがある。ただし、第１配置における第１配置切替領域２２は、表示面２１の鉛直方向の下方に位置するため、特別利用者１０２も第１配置切替領域２２には手が届く。特別利用者１０２は、目的階への登録操作を行いたい場合、第１配置切替領域２２内の配置切替部３２Ａに入力操作を行い、表示を第２配置に切り替える。図７に示すように、第２配置における第２行先階登録領域４４は、表示面２１の下方に位置する。そのため、特別利用者１０２は、第２配置における第２行先階登録領域４４には手が届く。従って、特別利用者１０２は、表示を第２配置に切り替えることで、第２行先階登録領域４４内の、目的の行先階タッチ部３７に容易に入力操作を行うことができる。
【００４４】
また、第１配置の扉開閉領域２４、及び第２配置の扉開閉領域４２は、いずれも表示面２１の下方に位置する。従って、特別利用者１０２は、第１配置において、例えば急に扉４の開閉操作が必要になった場合でも、扉開閉部３４を操作して扉４を開閉することができる。また、特別利用者１０２は、第２配置においても、容易に扉開閉部３４を操作することができる。また、本実施形態においては、第１配置と第２配置とで扉開閉部３４の位置が変わらない。従って、例えば通常利用者１０１及び特別利用者１０２が同乗していた場合においても、双方の利用者が容易に扉開閉部３４を操作して扉の開閉が可能となる。
【００４５】
以上説明したように、本実施形態に係る操作盤２０は、複数の行先階タッチ部３７を有する行先階登録部３６と、利用者１００により第１配置と第２配置との切り替え操作が可能な配置切替部３２と、が表示されるタッチパネル式の表示面２１を有する。表示面２１は、第１配置において、表示面２１の下方の表示領域である第１配置切替領域２２に配置切替部３２Ａを表示する。また、表示面２１は、第１配置において、第１配置切替領域２２よりも上方の領域である第１行先階登録領域２６に行先階登録部３６Ａを表示する。そして、表示面２１は、第２配置において、表示面２１の下方の表示領域である第２行先階登録領域４４に行先階登録部３６Ｂを表示する。表示面２１は、第２配置において、第２行先階登録領域４４よりも上方の領域である第２配置切替領域４６に配置切替部３２Ｂを表示する。そして、第２行先階登録領域４４は、第１行先階登録領域２６よりも小さい。
【００４６】
操作盤２０は、第２配置において、第１行先階登録領域２６よりも面積が小さい第２行先階登録領域４４を、表示面２１の下方に設けている。そのため、操作盤２０は、第２配置において、特別利用者１０２の容易に手の届く位置に行先階タッチ部３７を表示し、特別利用者１０２が容易に目的の行先階タッチ部３７に入力操作を行うことができる。また、操作盤２０は、第１配置において、第１配置切替領域２２を下方に設けている。そのため、操作盤２０は、第１配置において、行先階登録部３６Ａが特別利用者１０２の手に届かず、目的の行先階タッチ部３７に入力操作ができない場合でも、第１配置切替領域２２が特別利用者１０２の手に届く。従って、操作盤２０は、特別利用者１０２による第１配置から第２配置への切り替えを容易に行うことができる。これにより、特別利用者１０２は、例えば乗りかご２に乗った際に第１配置であった場合でも、第２配置に切り替えて行先階の登録操作を容易に行うことができる。
【００４７】
このように、操作盤２０は、通常利用者１０１に適した表示である第１配置と、特別利用者１０２に適した表示である第２配置とを切り替えることができる。従って、操作盤２０は、様々な利用者１００にとって、容易に入力操作を可能とする。また、操作盤２０は、第１配置と第２配置との２種類の表示を切り替えるだけなので、様々な身長の利用者１００に対応するために大きな表示面２１を設ける必要がない。
【００４８】
また、本実施形態に係る操作盤２０は、表示面２１が、第２配置において、第２行先階登録領域２６の上方に隣接する領域である第２階床表示領域４９に、階床を表示する。操作盤２０は、第２行先階登録領域４４の上方に隣接する、比較的下方の領域で階床を表示するため、特別利用者１０２にとっても、階床の確認が容易となる。
【００４９】
また、本実施形態に係るエレベータ１は、上述のように、乗り場操作盤６０が、第１呼び部６１と第２呼び部６２とを有していてもよい。この場合、本実施形態の他の例として、操作盤２０は、第２呼び部６２からエレベータの呼び操作が実行された場合、エレベータ１のその呼び操作がされた乗り場５への着床時に、表示面２１の表示を第１配置から第２配置に切り替える処理を行ってもよい。上述のように、第２呼び部６２は、特別利用者１０２の利用に適したものである。操作盤２０は、第２呼び部６２からエレベータ１の呼び操作がなされた場合、その呼び操作がなされた乗り場５への着床時に、表示を特別利用者１０２の利用に適した第２配置に切り替える。これにより、操作盤２０は、特別利用者１０２がより容易に第２配置を利用することを可能とする。以下、表示の切り替えフローについて説明する。
【００５０】
図８は、第１実施形態の他の例において第２呼び部での操作が行われた場合の表示切替処理を説明するフローチャートである。図８に示すように、制御装置１２は、第２呼び部６２に呼び操作（第２呼び部６２の移動方向選択部への入力操作）があったかを検出し（ステップＳ２０）、第２呼び部６２への呼び操作があった場合（ステップＳ２０；Ｙｅｓ）、現在の表示面２１の表示が第１配置であるかを判定する（ステップＳ２２）。制御装置１２は、表示面２１の表示が第１配置である場合（ステップＳ２２；Ｙｅｓ）、その呼び操作があった乗り場５への着床時に、表示面２１の表示を第２配置に切り替える（ステップＳ２４）。制御装置１２は、現在の表示面２１の表示が第１配置でない、すなわち第２配置であった場合（ステップＳ２２；Ｎｏ）、表示面２１の表示を第２配置のままとする（ステップＳ２６）。このステップＳ２４、Ｓ２６の実行により本処理は終了する。また、第２呼び部６２への呼び操作がなかった場合（ステップＳ２０；Ｎｏ）、表示を切り替えず、本処理を終了する。例えば、制御装置１２は、第１呼び部６１への呼び操作があった場合であって、第２配置であった場合でも、例えば乗りかご２内にすでに特別利用者１０２がいると判断して、第２配置のままとしてもよい。
【００５１】
また、本実施形態に係るエレベータ１は、制御装置１２が、第２配置における行先階登録部３６Ｂでエレベータ１の行先階が登録された場合、エレベータ１の駆動モードを、第１運転モードから第２運転モードに切り替える制御を行うものであってもよい。第２配置は、特別利用者１０２の利用に適したものである。エレベータ１は、第２配置での操作を検出した場合に、エレベータ１の駆動を特別利用者１０２の利用に適した第２運転モードに切り替える。これによりエレベータ１は、特別利用者１０２がより容易に第２運転モードを利用することを可能とする。以下、運転モードの切り替えフローについて説明する。
【００５２】
図９は、第１実施形態の他の例において第２配置での操作が行われた場合の運転モードの切り替え処理を説明するフローチャートである。図９に示すように、制御装置１２は、第２配置における行先階登録操作（行先階登録部３６Ｂへの入力操作）があったかを検出し（ステップＳ３０）、第２配置における行先階登録操作があった場合（ステップＳ３０；Ｙｅｓ）、現在の運転モードが第１運転モードであるかを判定する（ステップＳ３２）。制御装置１２は、運転モードが第１運転モードである場合（ステップＳ３２；Ｙｅｓ）、運転モードを第２運転モードに切り替える（ステップＳ３４）。制御装置１２は、運転モードが第１運転モードでない、すなわち第２運転モードであった場合（ステップＳ３２；Ｎｏ）、運転モードを第２運転モードのままとする（ステップＳ３６）。このステップＳ３４、Ｓ３６の実行により本処理は終了する。また、第２配置における行先階登録操作がなかった場合（ステップＳ３０；Ｎｏ）、運転モードを切り替えず、本処理を終了する。例えば、制御装置１２は、第１配置における行先階登録操作があった場合であって、第２運転モードであった場合でも、例えば乗りかご２内にすでに特別利用者１０２がいると判断して、第２運転モードのままとしてもよい。
【００５３】
〔第２実施形態〕
次に、第２実施形態について説明する。第２実施形態に係る操作盤２０ａは、第２行先階登録領域４４ａの表示が、第１実施形態とは異なる。第２実施形態において第１実施形態と構成が共通する箇所は、説明を省略する。
【００５４】
図１０及び図１１は、第２実施形態に係る操作盤の表示を示す図である。図１０は、第１配置における操作盤２０ａの表示面２１ａの表示を示している。図１１は、第２配置における操作盤２０ａの表示面２１ａの表示を示している。
【００５５】
図１０に示すように、第１配置において、表示面２１ａは、第１実施形態と同様に、第１配置切替領域２２と、第１扉開閉領域２４と、第１行先階登録領域２６と、第１階床表示領域２８との各領域に区分され、領域毎に所定の表示を行う。第２実施形態に係る表示面２１ａは、第１行先階登録領域２６において、行先階登録部３６Ａａを表示する。行先階登録部３６Ａａは、複数の行先階タッチ部３７を有する。図１０の例においては、行先階登録部３６Ａａは、１階から２７階に対応する２７個の行先階タッチ部３７を有している。図１０の例において、行先階タッチ部３７は、３列で鉛直方向に沿って配列している。ただし、この行先階タッチ部３７の配置は一例である。このように、表示面２１ａは、第１配置においては、行先階登録部３６Ａａの表示内容以外は、第１実施形態と同内容を表示する。表示面２１ａは、第１実施形態よりも多くの行先階タッチ部３７を表示している。
【００５６】
図１１に示すように、第２配置において、表示面２１ａは、第２扉開閉領域４２と、第２行先階登録領域４４ａと、第２配置切替領域４６と、第２階床表示領域４８ａとの各領域に区分され、領域毎に所定の表示を行う。第２扉開閉領域４２と第２配置切替領域４６とは、第１実施形態と同じ構成である。
【００５７】
第２行先階登録領域４４ａは、第１実施形態に係る第２行先階登録領域４４と同じ面積であり同位置に配置される。第２行先階登録領域４４ａは、行先階登録部３６Ｂａ及び行先階タッチ切替部５１を表示する。行先階登録部３６Ｂは、複数の行先階タッチ部３７を有する。行先階登録部３６Ｂの行先階タッチ部３７は、３列で鉛直方向に沿って配列している。ただし、この行先階タッチ部３７の配置は一例である。
【００５８】
第２実施形態においては、表示すべき行先階タッチ部３７の数は、１階から２７階に対応する２７個である。しかし、第２行先階登録領域４４ａは、第１行先階登録領域２６よりも面積が小さいため、２７個の行先階タッチ部３７全てを表示せず、一部のみを表示する。図１１の例では、第２行先階登録領域４４ａは、１階から１２階に対応する１２個の行先階タッチ部３７を表示している。
【００５９】
ここで、第２行先階登録領域４４ａは、行先階タッチ切替部５１を有している。行先階タッチ切替部５１は、利用者１００の入力操作により、第２行先階登録領域４４ａに表示されない行先階タッチ部３７を、第２行先階登録領域４４ａに表示させる。より詳しくは、行先階タッチ切替部５１は、利用者１００の入力操作により、現在第２行先階登録領域４４ａに表示されている行先階タッチ部３７の少なくとも一部の代わりに、現在第２行先階登録領域４４ａに表示されていない行先階タッチ部３７を表示するものである。行先階タッチ切替部５１は、利用者１００の入力操作によっても、行先階タッチ部３７の面積を変化させない。
【００６０】
本実施形態では、行先階タッチ切替部５１は、スクロールバー５２、及びページ送り部５４を有している。スクロールバー５２は、利用者１００のスクロール操作により、行先階登録部３６Ｂの画面をスクロール移動させ、現在表示されている行先階タッチ部３７の少なくとも一部を表示させなくし、現在表示されていない行先階タッチ部３７を新たに表示する。また、ページ送り部５４は、利用者１００の入力操作（タッチ操作）により、現在表示されている全ての行先階タッチ部３７を表示させなくし、代わりに現在表示されていない行先階タッチ部３７を新たに表示する。行先階タッチ切替部５１は、このようなスクロールバー５２、及びページ送り部５４の構成に限られず、表示されている行先階タッチ部３７の少なくとも一部の代わりに、現在表示されていない行先階タッチ部３７を表示するものであれば、構成は任意である。
【００６１】
第２階床表示領域４８ａは、第１実施形態の第２階床表示領域４８、４９を合わせた領域と同じ面積、同じ位置の領域である。第２階床表示領域４８ａは、第１実施形態の第２階床表示領域４８に対応する領域内で階床表示部３８を表示するが、これに限られず、第２階床表示領域４８ａ全体で階床表示部３８を表示してもよい。
【００６２】
以上説明したように、第２実施形態に係る操作盤２０ａは、第２配置において、表示面２１ａが、第２行先階登録領域４４ａに表示されない行先階タッチ部３７を第２行先階登録領域４４ａに表示させるための行先階タッチ切替部５１を表示する。操作盤２０ａは、例えば階数が多い建物で表示すべき行先階タッチ部３７が多くなる場合でも、行先階タッチ切替部５１によって行先階タッチ部３７の表示を切り替えて、目的の行先階に対応する行先階タッチ部３７への指示操作を確実に行うことができる。
【００６３】
〔第３実施形態〕
次に、第３実施形態について説明する。第３実施形態に係る操作盤２０ｂは、第２配置における行先階タッチ部３７ｂの各々の領域面積が、第２実施形態とは異なる。第３実施形態に係る操作盤２０ｂは、それ以外の点では、第２実施形態と同じ構成であるため、共通する箇所の説明を省略する。
【００６４】
図１２及び図１３は、第３実施形態に係る操作盤の表示を示す図である。図１２は、第１配置における操作盤２０ｂの表示面２１ｂの表示を示している。図１３は、第２配置における操作盤２０ｂの表示面２１ｂの表示を示している。図１２に示すように、第１配置における表示面２１ｂは、第１行先階登録領域２６において、行先階登録部３６Ａｂを表示する。行先階登録部３６Ａｂは、複数の行先階タッチ部３７を有する。図１２の例においては、行先階登録部３６Ａｂは、１階から２４階に対応する２４個の行先階タッチ部３７を有している。その他の点で、表示面２１ｂは、第１配置において、第２実施形態と同じ表示である。
【００６５】
図１３に示すように、表示面２１ｂは、第２配置において、第２扉開閉領域４２と、第２行先階登録領域４４ｂと、第２配置切替領域４６と、第２階床表示領域４８ａとの各領域に区分され、領域毎に所定の表示を行う。
【００６６】
第２行先階登録領域４４ｂは、第２実施形態における第２行先階登録領域４４ａと同じ面積であり同位置に配置される。第２行先階登録領域４４ｂは、行先階登録部３６Ｂｂ及び行先階タッチ切替部５１を表示する。行先階登録部３６Ｂｂは、複数の行先階タッチ部３７ｂを有する。行先階タッチ部３７ｂは、第１配置における行先階タッチ部３７よりも、領域面積が大きくなっている。すなわち、第３実施形態に係る操作盤２０ｂは、第２配置において、行先階タッチ部の各々の領域面積を第１配置よりも大きく表示するものである。これにより、操作盤２０ｂは、特別利用者１０２にとっても行先階タッチ部３７ｂへの入力操作が容易となり、例えばタッチミスを抑制するなど、特別利用者１０２の操作がより容易となる。
【００６７】
なお、本実施形態においては、操作盤２０ｂは、第２配置における行先階タッチ部３７ｂの表示領域の大きさを、第１配置における行先階タッチ部３７の表示領域の大きさから変更するものであれば、第２配置の行先階タッチ部３７ｂの表示領域を第１配置の行先階タッチ部３７の表示領域よりも大きくすることに限られない。また、例えば、操作盤２０ｂは、表示面２１ｂに、行先階タッチ部３７、３７ｂの領域面積を変更させるための領域面積変更部を表示してもよい。領域面積変更部は、第１配置においては第１行先階登録領域２６に表示され、第２配置においては第２行先階登録領域４４ａに表示されることが好ましい。領域面積変更部は、利用者１００の入力操作により、行先階タッチ部３７、３７ｂの領域面積を変更させる。
【００６８】
〔第４実施形態〕
次に、第４実施形態について説明する。第４実施形態に係る操作盤２０ｃは、監視カメラの映像から検出された利用者１００の情報に基づき、第１配置と第２配置とに表示を切り替える点で、第１実施形態とは異なる。第４実施形態において第１実施形態と構成が共通する箇所は、説明を省略する。
【００６９】
図１４は、第４実施形態のエレベータの構成を示すブロック図である。図１４に示すように、エレベータ１ｃは、制御装置１２ｃと、操作盤２０ｃと、乗り場操作盤６０と、監視カメラ７０Ａ、７０Ｂとを有する。
【００７０】
図１５及び図１６は、第４実施形態のエレベータの構成を模式的に示す模式図である。図１５は、通常利用者１０１がエレベータ１ｃを利用する場合を示している。図１６は、特別利用者１０２（ここでは車いす利用者）がエレベータ１ｃを利用する場合を示している。図１５及び図１６に示すように、監視カメラ７０Ａは、乗りかご２内に配置されるビデオカメラであり、扉４から乗りかご２内に進入してくる利用者１００を撮像する。監視カメラ７０Ｂは、乗り場５に配置されるビデオカメラであり、乗り場５から乗りかご２内に進入してくる利用者１００を撮像する。
【００７１】
図１４に示すように、制御装置１２ｃは、表示制御部１６ｃ及び映像解析部１７ｃを有する。映像解析部１７ｃは、監視カメラ７０Ａ、７０Ｂから、乗りかご２内に進入してくる利用者１００の映像を取得し、映像を解析することで、その利用者１００が通常利用者１０１であるか特別利用者１０２であるかを判定する。映像解析部１７ｃは、利用者１００の映像から利用者１００の身長（床面から頭頂までの高さ）を検出し、その身長に基づき、通常利用者１０１であるか特別利用者１０２であるかを判定する。映像解析部１７ｃは、利用者１００の身長が所定の値以上である場合は、通常利用者１０１であると判断し、身長が所定の値より小さい場合は、特別利用者１０２であると判断する。また、映像解析部１７ｃは、利用者１００の映像から利用者１００の移動速度を検出し、その移動速度に基づき、通常利用者１０１であるか特別利用者１０２であるかを判定してもよい。この場合、例えば、映像解析部１７ｃは、利用者１００の移動速度が所定の値以上である場合は、通常利用者１０１であると判断し、移動速度が所定の値より小さい場合は、特別利用者１０２であると判断する。映像解析部１７ｃは、この身長による判定方法と移動速度による判定方法を組み合わせて、判定を行ってもよい。なお、映像解析部１７ｃによる判定方法は、利用者１００の映像に基づくものであれば、これらに限られない。
【００７２】
なお、本実施形態においては、監視カメラが２台あるが、監視カメラは７０Ａ、７０Ｂのいずれか１台であってもよい。この場合、制御装置１２ｃは、監視カメラは７０Ａ、７０Ｂのいずれか１台からの映像に基づき判定を行う。
【００７３】
表示制御部１６ｃは、映像解析部１７ｃが通常利用者１０１であると判断した場合、操作盤２０ｃの表示面２１の表示を第１配置とする。表示制御部１６ｃは、映像解析部１７ｃが特別利用者１０２であると判断した場合、操作盤２０ｃの表示面２１の表示を第２配置とする。なお、乗りかご２内に進入してくる利用者１００が複数あって、通常利用者１０１と特別利用者１０２とが混在する場合、制御装置１２ｃは、特別利用者１０２が利用しやすいように、利用者１００は特別利用者１０２であると判断して、操作盤２０ｃの表示面２１の表示を第２配置としてもよい。以下、この表示切替処理をフローチャートで説明する。
【００７４】
図１７は、第４実施形態における表示切替処理を説明するフローチャートである。図１７に示すように、制御装置１２ｃは、監視カメラ７０Ａ、７０Ｂから、乗りかご２内に進入してくる利用者１００の映像を取得し（ステップＳ４０）、映像解析部１７ｃにより、利用者１００の情報を検出する（ステップＳ４２）。制御装置１２ｃは、利用者１００の情報に基づき、映像解析部１７ｃにより、その利用者１００が特別利用者１０２であるかを判定する（ステップＳ４４）。具体的には、映像解析部１７ｃは、利用者１００の映像から、利用者１００の情報としての身長を検出し、その身長に基づき、利用者１００が特別利用者１０２であるかを判定する。
【００７５】
乗りかご２内に進入してくる利用者１００が特別利用者１０２である場合（ステップＳ４４；Ｙｅｓ）、制御装置１２ｃは、表示制御部１６ｃにより、表示面２１の表示を第２配置とする（ステップＳ４６）。具体的には、表示面２１の表示が第１配置であって、乗りかご２内に進入してくる利用者１００が特別利用者１０２である場合、表示制御部１６ｃは、表示面２１の表示を第１配置から第２配置に切り替える。また、表示面２１の表示が第２配置であって、乗りかご２内に進入してくる利用者１００が特別利用者１０２である場合、表示制御部１６ｃは、表示面２１の表示を第２配置のままとする。
【００７６】
また、乗りかご２内に進入してくる利用者１００が特別利用者１０２でない場合（ステップＳ４４；Ｎｏ）、すなわち通常利用者１０１である場合、制御装置１２ｃは、表示制御部１６ｃにより、表示面２１の表示を第１配置とする（ステップＳ４８）。具体的には、表示面２１の表示が第１配置であって、乗りかご２内に進入してくる利用者１００が通常利用者１０１である場合、表示制御部１６ｃは、表示面２１の表示を第１配置のままとする。また、具体的には、表示面２１の表示が第２配置であって、乗りかご２内に進入してくる利用者１００が通常利用者１０１である場合、表示制御部１６ｃは、表示面２１の表示を第２配置から第１配置に切り替える。ただし、表示面２１の表示が第２配置であって、乗りかご２内に進入してくる利用者１００が通常利用者１０１である場合、表示制御部１６ｃは、表示面２１の表示を第２配置のままとしてもよい。この場合、例えば乗りかご２内にすでに特別利用者１０２が乗っていた場合、その特別利用者１０２の操作盤２０ｃの操作を容易にすることができる。このステップＳ４６又はステップＳ４８により、この処理は終了する。
【００７７】
以上説明したように、第４実施形態に係る操作盤２０ｃは、乗りかご２の監視カメラ７０Ａ又は乗り場５の監視カメラ７０Ｂの映像から検出された利用者１００の情報に基づき、第１配置から第２配置へ表示面２１の表示を切り替える。これにより、操作盤２０ｃは、特別利用者１０２にとってより容易に第２配置での操作が可能となる。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１  エレベータ、２  乗りかご、４  扉、５  乗り場、６  乗り場扉、１０  エレベータ登録装置、１２  制御装置、１４  運転制御部、１６  表示制御部、２０  操作盤、２２  第１配置切替領域、２４  第１扉開閉領域、２６  第１行先階登録領域、２８  第１階床表示領域、３２Ａ、３２Ｂ  配置切替部、３４  扉開閉部、３６Ａ、３６Ｂ  行先階登録部、３７  行先階タッチ部、３８  階床表示部、４２  第２扉開閉領域、４４  第２行先階登録領域、４６  第２配置切替領域、４８、４９  第２階床表示領域、６０  乗り場操作盤、６１  第１呼び部、６２  第２呼び部、１００  利用者、１０１  通常利用者、１０２  特別利用者
【要約】
【課題】利用者にとって容易に操作可能なエレベータの操作盤を提供すること。
【解決手段】実施形態によれば、エレベータ１の操作盤２０は、行先階登録部３６と、配置切替部３２と、が表示されるタッチパネル式の表示面２１を有する。表示面は、第１配置において、表示面内の下方の表示領域である第１配置切替領域に、配置切替部を表示する。表示面は、第１配置において、第１配置切替領域よりも上方の領域である第１行先階登録領域に、行先階登録部を表示する。表示面は、第２配置において、表示面内の下方の表示領域である第２行先階登録領域に、行先階登録部を表示する。表示面は、第２配置において、第２行先階登録領域よりも上方の領域である第２配置切替領域に配置切替部を表示する。第２行先階登録領域は、第１行先階登録領域よりも小さい。
【選択図】図１【図１】
0005956024.tif 000002
【図２】
0005956024.tif 000003
【図３】
0005956024.tif 000004
【図４】
0005956024.tif 000005
【図５】
0005956024.tif 000006
【図６】
0005956024.tif 000007
【図７】
0005956024.tif 000008
【図８】
0005956024.tif 000009
【図９】
0005956024.tif 000010
【図１０】
0005956024.tif 000011
【図１１】
0005956024.tif 000012
【図１２】
0005956024.tif 000013
【図１３】
0005956024.tif 000014
【図１４】
0005956024.tif 000015
【図１５】
0005956024.tif 000016
【図１６】
0005956024.tif 000017
【図１７】
0005956024.tif 000018